(57)【要約】  【課題】  飾り板への埃の付着による吸気面積の減少を抑制し、飾り板の清掃性の改善とドアの冷却効率の向上を図った加熱調理器を提供する。  【解決手段】  加熱室３、マグネトロン１９及びファン１８等を備えた本体１と、加熱室３の前面開口に開閉自在に設けられたドア５とを備え、収納箱１１の専用の収容スペースへ本体１が固定され、本体１前面部に本体１と収納箱１１との隙間を隠すために飾り板７が取り付けられ、ファン１８による本体１内への外気の吸気を飾り板７に設けた吸気口９，１０から行う。飾り板７の周囲部は、断面コの字型であり、その周囲部のうち、ドア５の上端面５ａの上方に位置する部分の上面に第１の吸気口９、下面に第２の吸気口１０をそれぞれ設けた。【選択図】      図１
2005172388.tif 000002
【特許請求の範囲】
【請求項１】
加熱室、熱源発生装置及びファン等を備えた本体と、加熱室の前面開口に開閉自在に設けられたドアとを備え、収納箱の専用の収容スペースへ本体が固定され、本体前面部に本体と収納箱との隙間を隠すために飾り板が取り付けられ、ファンによる本体内への外気の吸気を飾り板に設けた吸気口から行う加熱調理器において、前記吸気口を前記飾り板の側面に配置したことを特徴とする加熱調理器。
【請求項２】
前記飾り板の周囲部が断面コの字型であり、その周囲部のうち、ドアの上端面の上方に位置する部分の上面に第１の吸気口、下面に第２の吸気口をそれぞれ設けたことを特徴とする請求項１に記載の加熱調理器。
【請求項３】
前記収納箱は、収容スペースの上段又は下段に開き戸付きの棚を備えており、前記飾り板の上端面又は下端面に、前記上段の開き戸の下端面又は下段の開き戸の上端面と当接する所定の高さのリブを設けたことを特徴とする請求項１又は２に記載の加熱調理器。
【発明の詳細な説明】
【技術分野】
【０００１】
本発明は、いわゆるビルトインタイプの加熱調理器に関するものである。
【背景技術】
【０００２】
図６に、従来の加熱調理器の一例の斜視図を示す。この加熱調理器は、カップボードと呼ばれる専用の収納箱にユニットとして組み込む、いわゆるビルトインタイプとして設計されたものであり、加熱室、熱源発生装置（マグネトロンもしくはヒーター又はその両方）、ファン等を備えた本体１と、本体１に密着して配された吸気ダクト８と、加熱室の前面開口に開閉自在に設けられたドア５とを備え、本体１前面部に、本体１とカップボード１１との隙間を隠すために飾り板７が取り付けられる。カップボード１１は、加熱調理器の収容スペースの上方（下方にある場合もある。）に、食器や調味料等を収納する棚を備える。棚の前面には、開き戸２２が設けられる。
【０００３】
飾り板７の取り付けは、設置用の金具を設置前にカップボード１１に取り付け（ビス止め等により固定）、その金具に飾り板７を取りつけるタイプと、飾り板７をカップボード１１に正面よりビス止めし固定するタイプとがある。両タイプとも、給排気については通常飾り板７の前面に設けられたルーバーを備えた吸気口９及び排気口１３により行う。なお、飾り板７は操作部や表示部を兼ねており、例えば特許文献１には、本体１と操作部が一体化されたものが記載されている。
【特許文献１】特開２０００−１６４３３２号公報（第００２０段落、第１図）
【発明の開示】
【発明が解決しようとする課題】
【０００４】
しかしながら、吸気口９が飾り板７の前面にあるため、設置状態（運転しない状態）で埃がルーバーにたまり吸気面積を減らすという問題があった。また、ルーバーが前面にあるため、飾り板７の前面が凹凸のある歪な形状となり清掃性が悪いという問題もあった。また、ヒーター付きの調理器の場合、ドア５の温度が非常に熱くなり、ドア構成部品が熱で変形したりする問題があった。
【０００５】
本発明は、上記の課題に鑑みてなされたものであり、飾り板への埃の付着による吸気面積の減少を抑制し、飾り板の清掃性の改善とドアの冷却効率の向上を図った加熱調理器を提供することを目的とする。
【課題を解決するための手段】
【０００６】
上記目的を達成するために本発明は、加熱室、熱源発生装置及びファン等を備えた本体と、加熱室の前面開口に開閉自在に設けられたドアとを備え、収納箱の専用の収容スペースへ本体が固定され、本体前面部に本体と収納箱との隙間を隠すために飾り板が取り付けられ、ファンによる本体内への外気の吸気を飾り板に設けた吸気口から行う加熱調理器において、前記吸気口を前記飾り板の側面に配置したことを特徴とする。この構成によれば、吸気口が飾り板の前面にないため、飾り板の前面にルーバーが不要となり、ルーバーへの埃の付着による吸気効率と清掃性の低下を防止することができる。
【０００７】
飾り板の周囲部の形状は、断面コの字型であり、その周囲部のうち、ドアの上端面の上方に位置する部分の上面に第１の吸気口、下面に第２の吸気口をそれぞれ設けることができる。これによれば、吸気面積が確保され、第２の吸気口から吸気される外気は、ドアの前面に沿った流れを形成するようになる。したがって、この空気流によって運転時に高温となるドアを効率良く冷却することができる。
【０００８】
また、前記収納箱が、収容スペースの上段又は下段に開き戸付きの棚を備えたものである場合は、前記飾り板の上端面又は下端面に、前記上段の開き戸の下端面又は下段の開き戸の上端面と当接する所定の高さのリブを設けることで、飾り板と開き戸との間に隙間を確保することができ、飾り板の位置決めとともに吸気量を確保することができる。
【発明の効果】
【０００９】
本発明によれば、飾り板の前面にルーバーが不要となり、ルーバーへの埃の付着による吸気効率の低下を防止することができる。また、飾り板の前面に凹凸が少なくなるため、見た目がスッキリするだけでなく、飾り板の拭き取り等が容易に行え、清掃性も向上する。また、第２の吸気口から流入する外気は、ドアの前面に沿った流れを形成するため、運転時に高温となるドアを効率良く冷却することができ、ドア構成部品の熱による変形を防ぐことができる。
【発明を実施するための最良の形態】
【００１０】
以下、本発明を実施するための最良の形態を図面を参照して説明する。図１は本発明に係る加熱調理器の斜視図であり、図２はカップボード１１への取り付け例を示す斜視図である。図１に示すように、加熱調理器の本体１の内部は、正面から見て右側に機械室２が形成され、左側に加熱室３が形成されている。機械室２と加熱室３は、仕切壁４により仕切られている。加熱室３の前面開口部には、開閉自在なドア５が設けられている。本体１の上面から背面に密着して、Ｌ字型の吸気ダクト８が配設されている。機械室２内部には、ファン１８、マグネトロン１９、トランス２０等の機械部品や電子ユニット（図示せず）等の電装部品が配される。
【００１１】
図２に示すように、本体１は、カップボード１１の収容スペース２３内の所定位置に固定される。そして、本体１の前面部には、本体１とカップボード１１との隙間を隠すために飾り板７が設けられる。飾り板７は、ドア５の周囲に外気と通ずる間隙６を有するように、カップボード１１の前面１１ａに取り付けられる。飾り板７の前面下端部には、ルーバー（図示せず）を備えた排気口１３が設けられている。なお、排気は必ずしも飾り板７に設けた排気口１３から行うものに限定されない。例えば、本体１の背面に煙突を設けて、カップボード１１の背後から排気を行うようにしてもよい。
【００１２】
図４は、図１の矢視ｙ−ｙ線断面図である。図４に示すように、飾り板７は、内部に空洞１２を有するように断面コの字型に形成されており、空洞１２の開口部の周囲となる内側の後端部７ａでドア５の周囲の本体１と当接するように、外側の後端部７ｂでカップボード１１に取り付けられている。飾り板７は、吸気ダクト８の前面上端部を直角に屈曲して形成された屈曲片８ａをカップボード１１の前面１１ａとの間に挟んで取り付けられ、吸気ダクト８をカップボード１１に固定する役割も果たしている。飾り板７には、ドア５の上端面５ａの上方に位置する部分の上面及び下面にそれぞれ、空洞１２に通ずる複数の吸気口９，１０が一列に並んで貫設されている。なお、吸気口９，１０は、ルーバーを備えた横長の単一の開口として設けても構わない。
【００１３】
図３は、図１の矢視ｘ−ｘ線断面図である。図１及び図３に示すように、機械室２の背面には、吸気ダクト８内部から機械室２内部に通ずる複数の小孔から成る通気口１４がパンチング等により設けられている。仕切壁４には、機械室２内部から加熱室３内部に通ずる通気口１５が設けられている。さらに、加熱室３の側壁にも、仕切壁４と対向する壁面３ａに、本体１内に形成された排気ダクト１７に通ずる通気口１６が設けられている。排気ダクト１７は、飾り板７前面の排気口１３を介して外気に通じている。したがって、ファン１８を駆動すると、矢印で示す通気流路が形成され、吸気口９，１０から流入した外気が、空洞１２、吸気ダクト８、機械室２、加熱室３、排気ダクト１７を通って、排気口１３から排出される。この際、機械室２内部のマグネトロン１９やトランス２０を冷却することができる。
【００１４】
上記構成によれば、飾り板７の周囲壁面（側面）に吸気口９，１０を形成したので、飾り板７の前面にルーバーが不要となり、ルーバーへの埃の付着による吸気効率の低下を防止することができる。特に、下側の吸気口１０から流入する外気は、図１や図４に矢印Ａで示すように、ドア５の前面に沿った流れを形成するため、運転時に高温となるドア５を効率良く冷却することができ、ドア構成部品の熱による変形を防ぐことができる。また、飾り板７の前面にルーバー等の突起物が少なくなるため、見た目がスッキリするだけでなく、飾り板の拭き取り等が容易に行え、清掃性も向上する。なお、棚の開き戸２２に隠れた飾り板７の面を清掃するときは、図２に示すように、開き戸２２を開くとスペースが広がって掃除がしやすくなる。
【００１５】
また、図５に示すように、飾り板７の上端面及び下端面に、上段の開き戸２２の下端面又は下段の開き戸２２の上端面と当接する所定の高さのリブ２１を設けると、飾り板７と開き戸２２との間に隙間を確保することができ、飾り板７の位置決めとともに吸気量を確保することができる。
【図面の簡単な説明】
【００１６】
【図１】は、本発明に係る加熱調理器の一例の斜視図である。
【図２】は、同上加熱調理器のカップボードへの取付例を示す斜視図である。
【図３】は、図１の矢視ｘ−ｘ線断面図である。
【図４】は、図１の矢視ｙ−ｙ線断面図である。
【図５】は、同上加熱調理器の他の例の斜視図である。
【図６】は、従来の加熱調理器の一例の斜視図である。
【符号の説明】
【００１７】
１    本体
２    機械室
３    加熱室
４    仕切壁
５    ドア
６    間隙
７    飾り板
８    吸気ダクト
９，１０  吸気口
１１  カップボード
１３  排気口
１８  ファン
１９  マグネトロン
２０  トランス
２１  リブ
２２  開き戸
【図１】
2005172388.tif 000003
【図２】
2005172388.tif 000004
【図３】
2005172388.tif 000005
【図４】
2005172388.tif 000006
【図５】
2005172388.tif 000007
【図６】
2005172388.tif 000008